(57)【要約】【課題】  制御基板からコネクタの引き抜く作業を困難にする。【解決手段】  固定ケース３０１にコネクタ用カバーケース５００を取り付けた状態で、固定ケース３０１とコネクタ用カバーケース５００と基板用カバーケース３０２の短辺側の一側面３０３により囲まれる部分は、前記基板側コネクタ３１１、３１２と結合したハーネス側コネクタ４０１、４１１を収容し、前記ハーネス側コネクタに対するケース外部からの接触を禁止するコネクタ収容部６０２となっている。当該コネクタ用カバーケース５００を基板ケース３００から取り外す場合には、コネクタ用カバーケース５００または基板ケース３００を破壊する必要があるので、制御基板としてのサブ制御基板３０からハーネス側コネクタ４０１、４１１を引き抜く作業を困難にすることができる。【選択図】  図４
2006198091.tif 000002
【特許請求の範囲】
【請求項１】
配線パターンが形成された制御基板と、この制御基板に固定され前記配線パターンと電気的に接続する基板側コネクタと、一端側に前記基板側コネクタと結合するハーネス側コネクタを有するハーネスとを備える遊技機に用いられる遊技機用基板ケースであって、
前記基板側コネクタを固定した前記制御基板を収容し、前記基板側コネクタ及び前記制御基板に対するケース外部からの接触を禁止する基板収容部と、
前記基板側コネクタと結合したハーネス側コネクタを収容し、前記ハーネス側コネクタに対するケース外部からの接触を禁止するコネクタ収容部とを備え、
前記ハーネス側コネクタより小径に形成され、前記ハーネスを前記コネクタ収容部の内側から外側へ挿通させる貫通孔を、前記コネクタ収容部に設けることを特徴とする遊技機用基板ケース。
【請求項２】
前記基板収容部と前記コネクタ収容部の間に隔壁を設けるとともに、この隔壁に前記基板側コネクタと前記ハーネス側コネクタの結合部を挿通させる開口部を設けたことを特徴とする請求項１に記載の遊技機用基板ケース。
【請求項３】
配線パターンが形成された制御基板と、この制御基板に固定され前記配線パターンと電気的に接続する基板側コネクタと、一端側に前記基板側コネクタと結合するハーネス側コネクタを有するハーネスとを備える遊技機に用いられる遊技機用基板ケースであって、
前記遊技機の筐体内に取り付けられ、平面部及び側壁を有して一面側が開口するケース本体部材と、
平面部及び側壁を有して一面側が開口し、その開口側を前記ケース本体部材の前記開口側に向かい合わせた状態で当該ケース本体部材に装着されるケース蓋部材とを備え、
前記ケース本体部材に前記ケース蓋部材を装着して形成されるケース内部に、前記基板側コネクタを固定した前記制御基板、及び前記基板側コネクタと結合したハーネス側コネクタを収容し、前記制御基板及び前記ハーネス側コネクタに対する外部からの接触を禁止するとともに、前記ハーネス側コネクタより小径に形成され、前記ハーネスをケース内部から外側へ挿通させる貫通孔を、前記ケース本体部材と前記ケース蓋部材のいずれかに設けることを特徴とする遊技機用基板ケース。
【請求項４】
前記貫通孔は、前記ケース本体部材の縁部に形成された切欠きと前記ケース蓋部材の縁部に形成された切欠きとを向かい合わせて形成されることを特徴とする請求項３に記載の遊技機用基板ケース。
【請求項５】
前記貫通孔は、少なくともその一部分が前記基板側コネクタに対する前記ハーネス側コネクタの抜き差し方向の線上と異なる位置に形成されることを特徴とする請求項１ないし４のいずれか一つに記載の遊技機用基板ケース。
【発明の詳細な説明】
【技術分野】
【０００１】
本発明は、パチンコ機やスロットマシン等の遊技機において遊技機の作動を制御する制御基板等を収容する遊技機用基板ケースに関するものである。
【背景技術】
【０００２】
従来より、スロットマシンには各種の回路基板が搭載されている。このような回路基板としては、例えば特許文献１に記載されているように、遊技の進行等を制御しつつ抽選等を行うメイン制御基板、サウンドの出力や液晶表示ユニットの映像表示等の演出を制御するサブ制御基板、及び電源の供給制御を行う電源制御基板等が挙げられる。これらの回路基板は、例えば、ハーネスの一端に設けられたハーネス側コネクタと結合する基板側コネクタを備えており、前記ハーネスを介して他の回路基板や電子部品ユニット（例えば液晶表示ユニット）と接続するようになっている。
【０００３】
またスロットマシンのメイン制御基板及びサブ制御基板は、正規の基板やＲＯＭを用い、それ以外の基板やＲＯＭの使用を禁止する必要がある。このためメイン制御基板及びサブ制御基板は、開封できないように所定のケースに封入されており、メイン制御基板及びサブ制御基板に装着されているＲＯＭ等を正規以外のものに交換できないようにしている。
【０００４】
また、このようなメイン制御基板及びサブ制御基板の基板間は、ハーネスを介して電気的に接続されている。ハーネスは一端側及び他端側に設けたコネクタによりそれぞれメイン制御基板及びサブ制御基板側のコネクタと結合することから、正規以外の部品が接続されたハーネスと交換されたり、メイン制御基板やサブ制御基板側のコネクタからハーネス側のコネクタが抜き差しされることでメイン制御基板やサブ制御基板における処理動作やメモリの記憶内容が不正にリセットされたりするおそれがあるという問題がある。このことに対応し、例えば特許文献２に記載されているように、ハーネス側の凸コネクタに取り付けられる基体部と、制御基板を収納するケースの内壁面に当接する引き抜き禁止部とを一体形成し、コネクタの引き抜きを禁止する引き抜き制限装置が提案されている。
【０００５】
【特許文献１】特開２００３−３４５９１１号公報
【特許文献２】特開２００４−２８１３０６号公報
【発明の開示】
【発明が解決しようとする課題】
【０００６】
しかしながら、上述した従来のコネクタの引き抜きを禁止する引き抜き制限装置によれば、前記基体部と前記操作禁止部との間は外部から容易に切断可能に形成され、前記基体部から前記操作禁止部を切断することにより制御基板からコネクタの引き抜き可能にしているので、正規のハーネスを不正なハーネスに取り替えようとする者に対して、制御基板からコネクタを引き抜くことを禁止にしているというメッセージが伝わりにくく、また、引き抜き制限装置に対する比較的簡単な切断作業で容易に制御基板からコネクタを抜き差し可能な状態にすることができる等の問題が生じていた。さらに、ケースやコネクタに大きな力を加えて変形させることで、ケースとコネクタの間に比較的大きな隙間を発生させることが可能であり、この隙間からケースの内部に器具が挿入されて制御基板に直接アクセスされ、ＲＯＭのデータが書き換えられる、大当たりのストックがリセットされる等の不正行為が行われるおそれがある等の問題が生じていた。
【０００７】
本発明は、こうした従来の問題に鑑みてなされたものであり、制御基板からコネクタを抜き差しすることを禁止にしているというメッセージを伝わり易くし、制御基板からコネクタを引き抜く作業を困難にし、制御基板からコネクタが強引に引き抜かれた場合には当該制御基板に当該コネクタを差し込む作業を困難にし、基板ケースの内部に器具が挿入されるのを防止する等が可能な遊技機用基板ケースを提供することを目的としている。
【課題を解決するための手段】
【０００８】
上述した課題を解決するため、請求項１に記載の発明は、配線パターンが形成された制御基板と、この制御基板に固定され前記配線パターンと電気的に接続する基板側コネクタと、一端側に前記基板側コネクタと結合するハーネス側コネクタを有するハーネスとを備える遊技機に用いられる遊技機用基板ケースであって、前記基板側コネクタを固定した前記制御基板を収容し、前記基板側コネクタ及び前記制御基板に対するケース外部からの接触を禁止する基板収容部と、前記基板側コネクタと結合したハーネス側コネクタを収容し、前記ハーネス側コネクタに対するケース外部からの接触を禁止するコネクタ収容部とを備え、前記ハーネス側コネクタより小径に形成され、前記ハーネスを前記コネクタ収容部の内側から外側へ挿通させる貫通孔を、前記コネクタ収容部に設けることを特徴とする。
【０００９】
請求項２に記載の発明は、請求項１に記載の遊技機用基板ケースであって、前記基板収容部と前記コネクタ収容部の間に隔壁を設けるとともに、この隔壁に前記基板側コネクタと前記ハーネス側コネクタの結合部を挿通させる開口部を設けたことを特徴とする。
【００１０】
請求項３に記載の発明は、配線パターンが形成された制御基板と、この制御基板に固定され前記配線パターンと電気的に接続する基板側コネクタと、一端側に前記基板側コネクタと結合するハーネス側コネクタを有するハーネスとを備える遊技機に用いられる遊技機用基板ケースであって、前記遊技機の筐体内に取り付けられ、平面部及び側壁を有して一面側が開口するケース本体部材と、平面部及び側壁を有して一面側が開口し、その開口側を前記ケース本体部材の前記開口側に向かい合わせた状態で当該ケース本体部材に装着されるケース蓋部材とを備え、前記ケース本体部材に前記ケース蓋部材を装着して形成されるケース内部に、前記基板側コネクタを固定した前記制御基板、及び前記基板側コネクタと結合したハーネス側コネクタを収容し、前記制御基板及び前記ハーネス側コネクタに対する外部からの接触を禁止するとともに、前記ハーネス側コネクタより小径に形成され、前記ハーネスをケース内部から外側へ挿通させる貫通孔を、前記ケース本体部材と前記ケース蓋部材のいずれかに設けることを特徴とする。
【００１１】
請求項４に記載の発明は、請求項３に記載の遊技機用基板ケースであって、前記貫通孔は、前記ケース本体部材の縁部に形成された切欠きと前記ケース蓋部材の縁部に形成された切欠きとを向かい合わせて形成されることを特徴とする。
【００１２】
請求項５に記載の発明は、請求項１ないし４のいずれか一つに記載の遊技機用基板ケースであって、前記貫通孔は、少なくともその一部分が前記基板側コネクタに対する前記ハーネス側コネクタの抜き差し方向の線上と異なる位置に形成されることを特徴とする。
【００１３】
請求項１に記載の遊技機用基板ケースによれば、前記基板収容部が前記基板側コネクタを固定した前記制御基板を収容し、コネクタ収容部が前記基板側コネクタと結合したハーネス側コネクタを収容し、前記ハーネス側コネクタ及び前記制御基板に対する外部からの接触を禁止するとともに、前記ハーネスを前記コネクタ収容部の内側から外側へ挿通させる貫通孔を前記ハーネス側コネクタより小径に形成したので、制御基板からコネクタを抜き差しすることを禁止にしているというメッセージを伝わり易くし、制御基板からコネクタを引き抜く作業を困難にし、制御基板からコネクタが強引に引き抜かれた場合には当該制御基板に当該コネクタを差し込む作業を困難にし、基板ケースの内部に器具が挿入されるのを防止することができる。
【００１４】
請求項２に記載の遊技機用基板ケースによれば、前記基板収容部と前記コネクタ収容部の間に隔壁を設けたので、前記基板収容部の内部に器具が挿入されるのをより確実に防止することができる。
【００１５】
請求項３に記載の遊技機用基板ケースによれば、前記ケース本体部材に前記ケース蓋部材を装着して形成されるケース内部に、前記基板側コネクタを固定した前記制御基板、及び前記基板側コネクタと結合したハーネス側コネクタを収容し、前記ハーネス側コネクタ及び前記制御基板に対する外部からの接触を禁止するとともに、前記ハーネスを前記ケース内部から外側へ挿通させる貫通孔を前記ハーネス側コネクタより小径に形成したので、制御基板からコネクタを抜き差しすることを禁止にしているというメッセージを伝わり易くし、制御基板からコネクタを引き抜く作業を困難にし、制御基板からコネクタが強引に引き抜かれた場合には当該制御基板に当該コネクタを差し込む作業を困難にし、基板ケースの内部に器具が挿入されるのを防止することができる。
【００１６】
請求項４に記載の遊技機用基板ケースによれば、前記貫通孔は、前記ケース本体部材の縁部に形成された切欠きと前記ケース蓋部材の縁部に形成された切欠きとを向かい合わせて形成されるので、前記基板ケースに前記カバー部を取り付ける際に、前記カバー部と前記基板ケースの貫通孔を形成する部分の間に前記ハーネスを挟み込むことで、前記ハーネスを容易に前記貫通孔に挿入できる。
【００１７】
請求項５に記載の遊技機用基板ケースによれば、前記貫通孔は、少なくともその一部分が前記基板側コネクタに対する前記ハーネス側コネクタの抜き差し方向の線上と異なる位置に形成されるので、制御基板からコネクタを引き抜く作業をさらに困難にするとともに、制御基板からコネクタが強引に引き抜かれた場合には当該制御基板に当該コネクタを差し込む作業をさらに困難にすることができる。
【発明の効果】
【００１８】
本発明の遊技機用基板ケースによれば、制御基板からコネクタを抜き差しすることを禁止にしているというメッセージを伝わり易くし、制御基板からコネクタを引き抜く作業を困難にし、制御基板からコネクタが強引に引き抜かれた場合には当該制御基板に当該コネクタを差し込む作業を困難にし、基板ケースの内部に器具が挿入されるのを防止することができる。したがって、正規のハーネスを不正なハーネスに取り替えようとする行為を抑止できるとともに、制御基板に対する不正行為を抑止できる。
【発明を実施するための最良の形態】
【００１９】
以下、本発明に係る遊技機用基板ケースの好適な一実施形態として遊技機用基板ケースを備えるスロットマシン（パチスロ機）を例に図面を参照して説明する。尚、図１は、スロットマシン１の外観構造を表した斜視図、図２は、前扉３を開放した状態におけるスロットマシン１の内部構造を表した図である。図３は、スロットマシン１の制御システムを表したブロック図である。
【００２０】
図１において、スロットマシン１は、前方に開口を有する矩形状の筐体２と、前記筐体２に対して回動可能に取り付けられることで前記開口を閉塞させる前扉３とを備えている。前記筐体２内の上段側にはリール装置としてのリールユニット１００が設置されている。リールユニット１００には、回転することで周面の図柄を変動表示させる円筒状のリール１０１ａ、１０１ｂ、１０１ｃが複数並設されている。
【００２１】
以下、スロットマシン１の構成要素について詳細に説明する。
筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。
【００２２】
前扉３の前面側は、上部パネル部４と下部パネル部５に略区分けされている。
下部パネル部５は視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２３】
また、上部パネル部４と下部パネル部５との間には、遊技者側に突出し、ゲーム操作を行うためのスイッチ類が配置されている操作卓７が一体的に形成されている。操作卓７の前記スイッチ類には、前記リール１０１ａ、１０１ｂ、１０１ｃの回転動作を操作するための操作手段も含まれている。
【００２４】
前扉３の上部パネル部４は、左右及び上部に至る領域に前側に突出した枠状部４０を有し、その内側全体に液晶表示パネル４１を設けている。液晶表示パネル４１は遊技に関係する各種情報を一つの画面に統合して表示する。また、当該液晶表示パネル４１には前記リールユニット１００に対向して前記図柄を透視させる略長方形の表示窓４２が形成されている。当該表示窓４２は液晶表示パネル４１の画面中央より若干下側に寄った位置に設けられている。遊技者は、表示窓４２を通して筐体２内に設けられているリールユニット１００の３列のリール１０１ａ、１０１ｂ、１０１ｃに描かれたそれぞれ上下方向３個の図柄を目視できるようになっている。
【００２５】
また、上部パネル部４の上部に位置する枠状部４０には、高輝度発光ダイオード等のランプ類を内蔵する演出用照明部４３と、ゲームに係る効果音を発生させるスピーカを内蔵する左右の演出用放音部４４ａ、４４ｂとが配置されている。
【００２６】
上部パネル部４の側部に位置する枠状部４０には、蛍光灯や高輝度発光ダイオードで形成された左右の演出用照明部４５ａ、４５ｂが設けられている。スロットマシン１は、ゲームの進行に応じて上述した複数の演出用照明部４３、４５ａ、４５ｂ等が点灯又は点滅することで、ゲームにおける視覚的な演出効果を高めるように形成されている。
【００２７】
尚、上部パネル部４、操作卓７、下部パネル部５、及び受皿ユニット６は、遊技者側に面し、これらによって「前面パネル部」が構成される。
【００２８】
操作卓７の上面右側には、メダルを投入するための投入口を有するメダル投入部７１が設けられている。また、当該上面の左側には、押しボタンスイッチである２個のベットボタン７２、７３が設けられている。
【００２９】
ベットボタン７２、７３はスロットマシンの１ゲームに賭けるメダルの枚数を提示するためのボタンスイッチである。ゲームを開始する際に、ベットボタン７２が押圧操作されることで、貯留されているメダルから１枚のメダルがゲームに対して賭けられる。同様に、ベットボタン７３が押圧操作されることで３枚の当該ゲームにメダルが賭けられる。尚、ベットボタン７３は、最大枚数のメダルを賭けることから、特に「マックスベットボタン」と呼ばれている。
【００３０】
操作卓７の前面左側には、リール１０１ａ、１０１ｂ、１０１ｃの回転開始を指示するためのスタートレバー７４が設けられている。スタートレバー７４は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３１】
また、操作卓７の中央には、各リール１０１ａ、１０１ｂ、１０１ｃの回転停止をそれぞれ指示するためのストップボタン７５ａ、７５ｂ、７５ｃが各リールの配列に対応して並設されている。
【００３２】
スタートレバー７４、ストップボタン７５ａ、７５ｂ、７５ｃは、前記リール１０１ａ、１０１ｂ、１０１ｃの回転動作を操作するための操作手段となっている。
【００３３】
操作卓７の前面右側には、前扉３を開錠するための鍵が挿入される鍵穴７６が設けられている。スロットマシン１の管理者等が鍵穴７６に所定の鍵を挿入して開錠操作すると、蝶番機構１２、１３（図２参照）によって筐体２に取り付けられている前扉３を前方へ開くことができ、また前扉３を筐体２側に閉じると、自動的にこれらを施錠するようになっている。
【００３４】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂが配置されている。
【００３５】
次に、図２を参照して、筐体２の内部構造と前扉３の裏面構造とを説明する。同図において、筐体２の前面側には開口１１が形成されている。前扉３は、上下の蝶番１２、１３を介して前記筐体２の左側の枠に対して回動可能に取り付けられている。前扉３は、蝶番機構１２、１３を中心にして上から見て反時計回り回転させることで、前記開口１１を閉塞させることができる。
【００３６】
筐体２内の上部には、スロットマシン１の全体動作を集中制御するＣＰＵ（マイコン）を備え硬質プラスチックのケースに収納された主制御基板２０が取り付けられている。
【００３７】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。尚、各リール１０１ａ、１０１ｂ、１０１ｃは、それぞれに内蔵されたステッピングモータによって回転駆動される。
【００３８】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３９】
リールユニット１００の下方には、ホッパ装置２１と、ホッパ装置２１から溢れたメダルを収容するための補助貯留部２２と、主電源装置２３が設けられている。主電源装置２３の側面には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００４０】
次に、前扉３の裏面側上部には、演出用照明部４３の光源である高輝度の発光ダイオードを発光させる発光駆動部３１が配設されると共に、上述の演出用放音部４４ａ、４４ｂに対向してスピーカ３２ａ、３２ｂが取り付けられている。尚、図示しないが演出用照明部４５ａ、４５ｂについても光源である高輝度の発光ダイオードを発光させる発光駆動部が配設さている。
【００４１】
前扉３の裏面側には、液晶表示パネル４１が取り付けられている。更に、液晶表示パネル４１の裏面側には、電気回路基板で形成され、硬質プラスチックの基板ケース３００に収納されたサブ制御基板３０が取り付けられている。基板ケース３００には、本実施形態の要部となるコネクタ用カバーケース５００が設けられている。
【００４２】
尚、スロットマシン１全体の動作は、筐体２側に設けられている主制御基板２０によって統括制御されており、サブ制御基板３０は、液晶表示パネル４１による演出映像の表示制御、演出用照明部４３、４５ａ、４５ｂ、演出用放音部４４ａ、４４ｂ、６２ａ、６２ｂ（図１参照）を使った演出効果音制御など、ゲームの演出に係る制御を主に行っている。
【００４３】
サブ制御基板３０の下方には、リール１０１ａ、１０１ｂ、１０１ｃを目視させるための透明な表示窓４２が形成され、表示窓４２の下方には、前面側のスタートレバー７４及びストップボタン７５ａ、７５ｂ、７５ｃ等の操作スイッチ類の出力信号を主制御基板２０へ転送する中継基板として機能する中央表示基板３３が設けられている。
【００４４】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４５】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した左右の演出用放音部６２ａ、６２ｂ（図１参照）に対向する左右のスピーカ３８ａ、３８ｂが取り付けられている。
【００４６】
次に、図３のブロック図を参照して、スロットマシン１に設けられている制御システムについて説明する。
【００４７】
図３において、主制御基板２０は、ＣＰＵ２０１と、乱数発生装置２０２と、記憶部２０３と、タイマ２１２と、タイマ割込生成部２１３と、メダルクレジット手段２１４を備えている。
【００４８】
記憶部２０３は、ＲＯＭ、ＲＡＭ等の半導体メモリによって構成され、スロットマシンゲーム用のシステムプログラム２０４が予め記憶されている。主制御基板２０は、記憶部２０３に記憶されたシステムプログラム２０４に従ってＣＰＵ２０１が演算処理を実行することで、スロットマシン１全体の動作を統括制御している。
【００４９】
主制御基板２０には、ベットボタン７２、７３、スタートレバー７４、ストップボタン７５ａ、７５ｂ、７５ｃ等の操作スイッチ類、メダル選別装置３４のメダルセンサ３４ａ等の検出スイッチ類が配線ケーブルで接続されている。主制御基板２０は、前記スイッチ類からの出力信号によりゲームに係る操作を検出する。
【００５０】
主制御基板２０のメダルクレジット手段２１４は、メダル選別装置３４に投入されメダルセンサ３４ａにより検出されたメダルの枚数を、内部貯留しているメダルのクレジット数に加算する。
【００５１】
また、主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５２】
また、主制御基板２０には、ホッパ装置２１等のメダル払出装置、及びサブ制御基板３０がそれぞれハーネス等の配線ケーブルによって接続されている。主制御基板２０は、入賞が確定した場合等において、ホッパ装置２１を制御することで、所定数のメダルを受皿部６ａに払い出す。
【００５３】
サブ制御基板３０は、主制御基板２０からの制御信号に基づいて演出装置１４０（図２に示した液晶表示パネル４１、発光駆動部３１、左右のスピーカ３２ａ、３２ｂ、左右のスピーカ３８ａ、３８ｂ等）を制御駆動することで、遊技者の視覚や聴覚に訴える演出をゲームの進行に応じて行っている。
【００５４】
また、主制御基板２０の記憶部２０３には、入賞抽選テーブル２０５及び内部抽選フラグ２０６が記憶されている。例えばＣＰＵ２０１は、スタートレバー７４が操作された時点で乱数発生装置２０２を起動して乱数値を取得し、入賞抽選テーブル２０５を参照することで、得られた乱数値に割り当てられた入賞役またはハズレを抽選する。そして、ＣＰＵ２０１は、乱数値に対応する入賞役が存在すると、それを当該ゲームの入賞役として抽選結果を当選にし、当該入賞役を記憶部２０３の内部抽選フラグ２０６に記憶する。ここでは、かかる入賞役の抽選方法を「内部抽選」と呼んでいる。
【００５５】
また、記憶部２０３には、図柄配列データ２０７、リール停止位置検索テーブル２０８、リール停止位置選択テーブル２０９等の書き換え不可の参照データテーブルが記憶され、更にリール停止コマフラグ２１０、リール制御フラグ２１１等の書き換え可能なデータフラグ用のメモリ領域が確保されている。これら参照データテーブル及びデータフラグは、リール１０１ａ、１０１ｂ、１０１ｃの回転及び停止制御の際に用いられる。
【００５６】
尚、タイマ２１２は、例えばリール１０１ａ、１０１ｂ、１０１ｃの自動停止制御を起動するまでの時間を計測する。タイマ割込生成部２１３は、各リール１０１ａ、１０１ｂ、１０１ｃのステッピングモータ１１０ａ、１１０ｂ、１１０ｃを制御するパルス信号（回胴駆動パルスデータ）の同期を取るためのものである。
【００５７】
次に、スロットマシン１におけるゲーム動作の概要を説明する。
【００５８】
スロットマシン１は、先のゲームにおいて入賞しメダルの配当が完了した時、又は先のゲームにおいてハズレが確定すると待機状態となる。この待機状態においては、当該状態を液晶表示パネル４１によって遊技者に示唆するとともにゲーム操作を促す待機モードの演出が行われる。次に、遊技者がメダル投入部７１にメダルを投入し何れかのベットボタン７２、７３を押圧操作することで、スロットマシン１は、内部に貯留したメダル（クレジット）から当該ゲームに所定枚数のメダルが賭けられゲームを準備する。
【００５９】
ゲーム準備の状態でスタートレバー７４が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０６に記憶される。
【００６０】
次に、遊技者により何れかのストップボタン７５ａ、７５ｂ、７５ｃが押圧操作されることで、主制御基板２０がリール停止の操作を検出すると、主制御基板２０は、押圧操作されたストップボタンに対応するリールを停止させる制御を行う。そして、主制御基板２０は、全てのリール１０１ａ、１０１ｂ、１０１ｃが停止したことを検知すると、各リールが表示する図柄と上述の内部抽選フラグ２０６に対応する入賞役に係る図柄の組み合せとが一致しているかどうか判定する。
【００６１】
役への入賞が確定すると、スロットマシン１は、主制御基板２０の制御に基づいて、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６２】
次に、図４乃至図９を参照して本実施形態の要部となるサブ制御基板３０を収納する基板ケース３００について説明する。
【００６３】
図４はサブ制御基板３０及び基板ケース３００の分解斜視図である。図５はコネクタ用カバーケース５００を取り付ける前の基板ケース３００の斜視図である。図６はコネクタ用カバーケース５００を取り付けた後の基板ケース３００の斜視図である。図７は基板ケース３００の平面図である。図８はサブ制御基板３０を収納した基板ケース３００の断面図である。図９はコネクタ用カバーケース５００及びその周辺部を拡大して示す断面図である
図４において、サブ制御基板３０は、透明樹脂からなる基板ケース３００内に封止されるようになっている。
【００６４】
基板ケース３００は、サブ制御基板３０及びハーネス側コネクタ４０１、４１１を収納して、サブ制御基板３０をスロットマシン１（図２参照）の内部における液晶表示パネル４１（図２参照）の裏面側に固定する、上面が開放したケース本体部材としての固定ケース３０１と、この固定ケース３０１のサブ制御基板３０収納側の開放上面を塞ぎ、固定ケース３０１に収納されたサブ制御基板３０を封止するケース蓋部材としての基板用カバーケース３０２と、この固定ケース３０１のハーネス側コネクタ４０１、４１１収納側の開放上面を塞ぎ、固定ケース３０１に収納されたハーネス側コネクタ４０１、４１１を封止するケース蓋部材としてのコネクタ用カバーケース５００とを備えている。
【００６５】
サブ制御基板３０には、配線パターン３１０が形成され、配線パターン３１０と電気的に接続する基板側コネクタ３１１、３１２が固定されている。
【００６６】
ハーネス４００は、一端側に前記基板側コネクタ３１１と結合するハーネス側コネクタ４０１を有し、他端側に主制御基板２０（図２参照）の基板側コネクタと結合するハーネス側コネクタを有する。
【００６７】
ハーネス４１０は、一端側に前記基板側コネクタ３１２と結合するハーネス側コネクタ４１１を有し、他端側に液晶表示パネル４１（図２参照）のコネクタと結合するハーネス側コネクタを有する。
【００６８】
基板ケース３００は、図５に示すように、固定ケース３０１にサブ制御基板３０を収納し基板用カバーケース３０２を取り付けた状態で、短辺側の一側面３０３に前記ハーネス側コネクタ４０１、４１１が通過可能な開口部３０４、３０５を形成する。
【００６９】
固定ケース３０１と基板用カバーケース３０２により囲まれる部分は、基板側コネクタ３１１、３１２を固定した前記サブ制御基板３０を収容し、前記基板側コネクタ３１１、３１２及び前記サブ制御基板３０に対するケース外部からの接触を禁止する基板収容部６０１（図８参照）となっている。
【００７０】
図４において、コネクタ用カバーケース５００は、基板側コネクタ３１１、３１２からハーネス側コネクタ４０１、４１１が引き抜かれるのを防止するとともに、ハーネス側コネクタ４０１、４１１がケース外から接触されるのを防止するためのものである。
【００７１】
図６において、固定ケース３０１にコネクタ用カバーケース５００を取り付けた状態で、固定ケース３０１とコネクタ用カバーケース５００と基板用カバーケース３０２の短辺側の一側面３０３により囲まれる部分は、前記基板側コネクタ３１１、３１２と結合したハーネス側コネクタ４０１、４１１を収容し、前記ハーネス側コネクタに対するケース外部からの接触を禁止するコネクタ収容部６０２（図８参照）となっている。
【００７２】
さらに、基板ケース３００は、コネクタ用カバーケース５００を取り付けた状態で、前記ハーネス４００、４１０を前記コネクタ収容部６０２の内側から外側へ挿通させる貫通孔４２０、４３０を、前記コネクタ収容部６０２に設ける。
【００７３】
貫通孔４２０、４３０は、それぞれ前記ハーネス４００、４１０と略同径に形成されている。これにより、貫通孔４２０、４３０は、それぞれ前記ハーネス側コネクタ４０１、４１１より小径に形成されている。貫通孔４２０、４３０は、前記固定ケース３０１の縁部に形成された切欠き４２１、４３１と前記コネクタ用カバーケース５００の縁部に形成された切欠き４２２、４３２とをそれぞれ向かい合わせて形成される。
【００７４】
次に、サブ制御基板３０についてさらに詳細に説明する。
図４において、サブ制御基板３０の一面には、基板側コネクタ３１１、３１２、ＲＯＭ３１３、ＣＰＵ３１４等の電子部品が取り付けられている。サブ制御基板３０の四隅近傍には、ネジ３０６ａ、３０６ｂ、３０６ｃ、３０６ｄを挿入するための挿入孔３１５ａ、３１５ｂ、３１５ｃ、３１５ｄが形成されている。基板側コネクタ３１１は、複数の電極ピン３１６と絶縁筐体３１７とを備えている。絶縁筐体３１７は、凹形状に形成され、その凹部３１８をサブ制御基板３０の側方に向けて配置している。凹部３１８の内部には、複数の電極ピン３１６が所定ピッチの一列で植設されている。複数の電極ピン３１６先端側は、ハーネス側コネクタ４０１との結合面側に設けられている。複数の電極ピン３１６の基端側は、絶縁筐体３１７の背面側から突出し、サブ制御基板３０の配線パターン３１０に接続されている。
【００７５】
基板側コネクタ３１２の複数の電極ピン３１９、絶縁筐体３２０、凹部３２１についても、基板側コネクタ３１１の複数の電極ピン３１６、絶縁筐体３１７、凹部３１８と同様の構造になっている。
【００７６】
次に、ハーネス４００について詳細に説明する。
図４において、ハーネス４００は、一端側に前記基板側コネクタ３１１と結合するハーネス側コネクタ４０１を有し、他端側に主制御基板２０（図２参照）の基板側コネクタと結合するハーネス側コネクタを有する。
【００７７】
ハーネス側コネクタ４０１は、図示しない複数のジャック端子と、絶縁筐体３１６の凹部３１８に挿入される凸形状に形成されたジャック絶縁体４０２とを備えている。複数のジャック端子は、ジャック絶縁体４０２の内部に植設され、ハーネス側コネクタ４０１と基板側コネクタ３１１が結合する場合に、それぞれ対応する電極ピン３１６と電気的に接続するようになっている。
【００７８】
ジャック絶縁体４０２の基端側の外周には、フランジ部４０３が形成されている。
ハーネス４１０に設けられたハーネス側コネクタ４１１、ジャック絶縁体４１２、フランジ部４１３についても、ハーネス４００に設けられたハーネス側コネクタ４０１、ジャック絶縁体４０２、フランジ部４０３と同様になっている。
【００７９】
次に、基板ケース３００の固定ケース３０１についてさらに詳細に説明する。
【００８０】
図４において、固定ケース３０１は、平面部３３０及び側壁３３１、３３２、３３３、３３４を有して一面側が開口する断面略長方形の箱状の部材から構成されている。固定ケース３０１の内側には、短辺側の側壁３３３、３３４に対して平行に配置した隔壁３３５が形成されている。
【００８１】
固定ケース３０１の隔壁３３５と短辺側の側壁３３３の間は、ハーネス側コネクタ４０１、４１１を収容するコネクタ収容部６０２になっている。固定ケース３０１の隔壁３３５と短辺側の側壁３３４の間は、サブ制御基板３０を収容する基板収容部６０１になっている。
【００８２】
固定ケース３０１の隔壁３３５には、基板側コネクタ３１３、３１４をコネクタ収容部６０２側にそれぞれ露出させるための切欠き３３８、３３９が形成されている。
【００８３】
固定ケース３０１の基板収容部６０１の内側底面の四隅近傍には、サブ制御基板３０及び基板用カバーケース３０２をネジ止めするための突起部３４１ａ、３４１ｂ、３４１ｃ、３４１ｄが形成されている。突起部３４１ａ、３４１ｂ、３４１ｃ、３４１ｄには、ネジ３０６ａ、３０６ｂ、３０６ｃ、３０６ｄを螺入するためのネジ孔３４２ａ、３４２ｂ、３４２ｃ、３４２ｄがそれぞれ形成されている。
【００８４】
また、固定ケース３０１の基板収容部６０１の内側底面には、固定ケース３０１の強度を高めるためのリブ３４３やサブ制御基板３０の位置決めを行うための突起部３４４ａ、３４４ｂ、３４４ｃ、３４４ｄが形成されている。
【００８５】
固定ケース３０１のコネクタ収容部６０２の内側底面には、固定ケース３０１の強度を高めるためのリブ３４５が形成されている。
【００８６】
固定ケース３０１の短辺側の側壁３３３には、ハーネス４００、４１０を通過させるための切欠き４２１、４３１がそれぞれ形成されている。コネクタ収容部６０２の側壁３３１、３３２、３３３の内側面には、コネクタ用カバーケース５００の爪部５０１、５０２、５０３がそれぞれ係止する凹部３５１、３５２、３５３がそれぞれ形成されている。側壁３３１の内側面における凹部３５１の両脇の位置には、固定ケース３０１の内側への変形を防止し、凹部３５１から爪部５０１が外れるのを防止する舌辺３５４、３５５が設けられている。舌辺３５４、３５５の先端は、側壁３３１の縁部から突出して固定ケース３０１の内側面に係止するようになっている。同様に、側壁３３２の内側面における凹部３５２の両脇の位置には、凹部３５２から爪部５０２が外れるのを防止する舌辺３５６、３５７が設けられている。側壁３３３の内側面における凹部３５３の両脇の位置には、凹部３５３から爪部５０３が外れるのを防止する舌辺３５８、３５９が設けられている。
【００８７】
さらに、ケース本体部材３０１の長辺側の側壁３３２の外側面には、スロットマシン１（図２参照）の内部における液晶表示パネル４１（図２参照）の裏面側にネジ止めするためのネジ止め部３４６ａ、３４６ｂ（図７参照）が形成されている。
【００８８】
次に、基板ケース３００の基板用カバーケース３０２についてさらに詳細に説明する。
図４において、基板用カバーケース３０２は平面部３６０及び側壁３６１、３６２、３６３、３６４を有して一面側が開口する断面略長方形の箱状の部材から構成されている。
【００８９】
基板用カバーケース３０２の短辺側の側壁３６３には、基板側コネクタ３１３、３１４をコネクタ収容部６０２側に露出させるための切欠き３６５、３６６がそれぞれ形成されている。
【００９０】
平面部３６０の上面の四隅近傍には、かしめ用キャップ３０７ａ、３０７ｂ、３０７ｃ、３０７ｄが挿入され、かしめられる凹部３７１ａ、３７１ｂ、３７１ｃ、３７１ｄが形成されている。
【００９１】
凹部３７１ａ、３７１ｂ、３７１ｃ、３７１ｄの底面には、ネジ３０６ａ、３０６ｂ、３０６ｃ、３０６ｄのネジ部が挿入される、図７に示す挿入孔３７２ａ、３７２ｂ、３７２ｃ、３７２ｄが形成されている。
【００９２】
次に、図４を用いて基板用カバーケース３０２の凹部３７１ａ、３７１ｂ、３７１ｃ、３７１ｄについてさらに詳細に説明する。
【００９３】
図４において、凹部３７１ａの内面は、下から順に小径部３８１、大径部３８２が形成されている。小径部３８１には、かしめ用キャップ３０７ａの爪部３９３が係止するスリット３８３が２箇所（図では１箇所のみ表示）形成されるとともに、かしめ用キャップ３０７ａの位置決めを行うための平面部３８４が２箇所（図６参照）形成されている。尚、残りの凹部３７１ｂ、３７１ｃ、３７１ｄも、凹部３７１ａと同様の構造になっている。
【００９４】
次に、かしめ用キャップ３０７ａ、３０７ｂ、３０７ｃ、３０７ｄについてさらに詳細に説明する。
【００９５】
図４において、かしめ用キャップ３０７ａは、下面が開放した円筒形状に形成されている。
【００９６】
かしめ用キャップ３０７ａの外周面は、下から順に小径部３９１、大径部３９２が形成されている。小径部３９２は、凹部３７１ａの内周面の小径部３８１と略同径に形成されており、小径部３８１に挿入可能になっている。小径部３９２には、大径部３９２から所定間隔を置いて爪部３９３が２箇所（図では１箇所のみ表示）形成されている。
【００９７】
大径部３９２は、凹部３７１ａの内周面の大径部３８２と略同径に形成されており、大径部３８２に挿入可能になっている。かしめ用キャップ３０７ａは、上端から若干の間隔を置いて平面部３９４により上面が閉塞されている。
【００９８】
また、小径部３９２は、基板用カバーケース３０２の凹部３７１ａの平面部３８４に対応する位置に平面部３９５が２箇所（図では１箇所のみ表示）形成されている。尚、残りのかしめ用キャップ３０７ｂ、３０７ｃ、３０7ｄも、かしめ用キャップ３０７ａと同様の構造になっている。
【００９９】
次に、基板ケース３００のコネクタ用カバーケース５００についてさらに詳細に説明する。
【０１００】
図４において、コネクタ用カバーケース５００は平面部５１０及び側壁５１１、５１２、５１３を有する。
【０１０１】
コネクタ用カバーケース５００の長辺側の側壁５１３には、ハーネス４００、４１０を通過させるための切欠き４２２、４３２がそれぞれ形成されている。側壁５１１、５１２、５１３の内側面には、固定ケース３０１の凹部３５１、３５２、３５３に係止する爪部５０１、５０２、５０３が側壁５１１、５１２、５１３の内側面から固定ケース３０１側に向けて突出して形成されている。
【０１０２】
尚、基板側コネクタ３１１、３１２にそれぞれハーネス側コネクタ４０１、４１１を差し込んで結合し、固定ケース３０１にコネクタ用カバーケース５００を取り付けた状態において、ハーネス側コネクタ４０１、４１１の基端面から側壁５１３の内側面までの距離Ｌ（図８参照）は、基板側コネクタ３１１、３１２に対するハーネス側コネクタ４０１、４１１の抜き差し距離よりも短くなっている。
【０１０３】
図９において、基板ケース３００の内部の側面３０３に形成した開口部３０４、３０５は、固定ケース３０１の隔壁３３５に形成された切欠き３３８、３３９と基板用カバーケース３０２の側壁３６３に形成された切欠き３６５、３６６とをそれぞれ向かい合わせて形成される。このような構造により、隔壁３３５と側壁３６３は、前記基板収容部６０１（図８参照）と前記コネクタ収容部６０２の間に設けられた隔壁を構成している。この隔壁には前記基板側コネクタ３１１、３１２と結合するハーネス側コネクタ４０１、４１１の結合部を挿通させる開口部３０４、３０５を設けている。
【０１０４】
以下、基板ケース３００の組み立て方法について説明する。
【０１０５】
図４において、基板ケース３００にサブ制御基板３０を収納して組み立てる場合、まず、固定ケース３０１の上側から基板収容部６０１の開口にサブ制御基板３０を挿入し、その上から基板用カバーケース３０２を被せる。
【０１０６】
次に、基板用カバーケース３０２の凹部３５１ａ、３５１ｂ、３５１ｃ、３５１ｄの挿入孔３５２ａ、３５２ｂ、３５２ｃ、３５２ｄ（図７参照）に、それぞれネジ３０６ａ、３０６ｂ、３０６ｃ、３０６ｄのネジ部を挿入し、次に、サブ制御基板３０の挿入孔３１５ａ、３１５ｂ、３１５ｃ、３１５ｄに、それぞれネジ３０６ａ、３０６ｂ、３０６ｃ、３０６ｄのネジ部を挿入し、固定ケース３０１のネジ孔３４２ａ、３４２ｂ、３４２ｃ、３４２ｄにそれぞれネジ３０６ａ、３０６ｂ、３０６ｃ、３０６ｄのネジ部を螺入することで、固定ケース３０１の上側にサブ制御基板３０と基板用カバーケース３０２をねじ止固定する。
【０１０７】
次に、かしめ用キャップ３０７ａ、３０７ｂ、３０７ｃ、３０７ｄの平面部３９５と基板用カバーケース３０２の凹部３７１ａ、３７１ｂ、３７１ｃ、３７１ｄの平面部３８４を合わせた状態で、かしめ用キャップ３０７ａ、３０７ｂ、３０７ｃ、３０７ｄをその下端から凹部３７１ａ、３７１ｂ、３７１ｃ、３７１ｄの大径部３８２及び小径部３８１に挿入し、かしめ用キャップ３０７ａ、３０７ｂ、３０７ｃ、３０７ｄの爪部３９３を凹部３７１ａ、３７１ｂ、３７１ｃ、３７１ｄのスリット３８３に上端に係止させる。これにより、図５に示す状態となり、かしめ用キャップ３０７ａ、３０７ｂ、３０７ｃ、３０７ｄは、ネジ３０６ａ、３０６ｂ、３０６ｃ、３０６ｄ（図４参照）を覆うことで、凹部３７１ａ、３７１ｂ、３７１ｃ、３７１ｄからネジ３０６ａ、３０６ｂ、３０６ｃ、３０６ｄ（図４参照）を外せない状態にする。
【０１０８】
次に、基板側コネクタ３１１、３１２にそれぞれハーネス側コネクタ４０１、４１１を差し込んで結合させることで図５の状態にする。この状態では、固定ケース３０１の隔壁３３５に形成された切欠き３３８、３３９と基板用カバーケース３０２の側壁３６３に形成された切欠き３６５、３６６によって開口部３０４、３０５が形成され、開口部３０４、３０５によってハーネス側コネクタ４０１、４１１が基板側コネクタ３１１、３１２から抜き差し可能な状態になる。
【０１０９】
この後、前記固定ケース３０１の縁部に形成された切欠き４２１、４３１に、前記ハーネス４００、４１０をそれぞれ挿入し、コネクタ用カバーケース５００の爪部５０１、５０２、５０３を固定ケース３０１の舌辺３５４、３５５、３５６、３５７、３５８、３５９と合わせた状態で、爪部５０１、５０２、５０３を固定ケース３０１のコネクタ収容部６０２の内側に挿入し、爪部５０１、５０２、５０３をそれぞれ固定ケース３０１の凹部３５１、３５２、３５３に係止させ、固定ケース３０１にコネクタ用カバーケース５００を取り付ける。これにより、図６乃至図９に示す状態となり、コネクタ用カバーケース５００は固定ケース３０１にかしめにより固定させる。基板ケース３００は、貫通孔４２０、４３０から前記ハーネス４００、４１０を前記コネクタ収容部６０２の内側から外側へ挿通させる。ここで、コネクタ用カバーケース５００は、固定ケース３０１に一旦取り付ければ、外部から力を加えても、固定ケース３０１の舌辺３５４、３５５、３５６、３５７、３５８、３５９により内側への変形が防止されるので、コネクタ用カバーケース５００または固定ケース３０１を破壊しないかぎり、凹部３５１、３５２、３５３から爪部５０１、５０２、５０３が外れることはなく、固定ケース３０１からコネクタ用カバーケース５００が外れることもない。この状態でコネクタ用カバーケース５００は、前記ハーネス側コネクタ４０１、４１１が前記基板側コネクタ３１１、３１２との結合を解除する方向に動くときの動作空間内に配置され、前記ハーネス側コネクタ４０１、４１１の前記基板側コネクタ３１１、３１２との結合を解除する方向への動作を禁止する。
【０１１０】
かかる構成の基板ケース３００によれば、固定ケース３０１と基板用カバーケース３０２により形成される前記基板収容部６０１が前記基板側コネクタ３１１、３１２を固定したサブ制御基板３０を収容し、固定ケース３０１とコネクタ用カバーケース５００により形成されるコネクタ収容部６０２が前記基板側コネクタ３１１、３１２と結合したハーネス側コネクタ４０１、４１１を収容し、前記ハーネス側コネクタ４０１、４１１及び前記サブ制御基板３０に対する外部からの接触を禁止するとともに、前記ハーネス４００、４１０を前記コネクタ収容部６０２の内側から外側へ挿通させる貫通孔４２０、４３０を前記ハーネス側コネクタ４０１、４１１より小径に形成したので、サブ制御基板３０からコネクタを抜き差しすることを禁止にしているというメッセージを伝わり易くし、サブ制御基板３０からコネクタを引き抜く作業を困難にし、固定ケース３０１やコネクタ用カバーケース５００が変形されサブ制御基板３０からコネクタが強引に引き抜かれた場合には当該サブ制御基板３０に当該コネクタを差し込む作業を困難にし、基板ケース３００の内部に器具が挿入されるのを防止することができる。
【０１１１】
また、本実施形態の基板ケース３００によれば、前記基板収容部６０１と前記コネクタ収容部６０２の間に隔壁を設けたので、前記基板収容部６０１の内部に器具が挿入されるのをより確実に防止することができる。
【０１１２】
また、本実施形態の基板ケース３００によれば、貫通孔４２０、４３０は、前記固定ケース３０１の縁部に形成された切欠き４２１、４３１と前記コネクタ用カバーケース５００の縁部に形成された切欠き４２１、４３１を向かい合わせたものなので、前記固定ケース３０１に前記前記コネクタ用カバーケース５００を取り付ける際に、前記前記コネクタ用カバーケース５００と前記固定ケース３０１の貫通孔４２０、４３０を形成する部分の間に前記ハーネス４００、４１０を挟み込むことで、前記ハーネス４００、４１０を容易に前記貫通孔４２０、４３０に挿入できる。
【０１１３】
以下、本発明に係る遊技機用基板ケースの好適な他の実施形態を図１０を参照して説明する。尚、図１０は、基板ケース７００の要部を示す断面図である。図１０に図示しない部分は、図１乃至図９に示した実施形態と同様の構成になっている。
【０１１４】
図１０において、基板ケース７００は、サブ制御基板３０を収納して、サブ制御基板３０を収容するケース本体部材としての固定ケース７０１と、この固定ケース７０１のサブ制御基板３０収納側の開放上面を塞ぐ基板用カバーケース３０２と、この固定ケース７０１のハーネス側コネクタ４０１収納側の開放上面を塞ぐコネクタ用カバーケース７１０とを備えている。
【０１１５】
ハーネス４００が挿入される貫通孔７２０は、コネクタ用カバーケース７１０の上面となる平面部７１１の基板用カバーケース３０２寄りに形成されている。これにより、前記貫通孔７２０は、少なくともその一部分が前記基板側コネクタ３１１に対する前記ハーネス側コネクタ４０１の抜き差し方向の線上と異なる位置に形成している。貫通孔７２０には、ハーネス側コネクタ４０１を取り付ける前のハーネス４００を挿入し、この後、ハーネス４００にハーネス側コネクタ４０１を取り付けるようにしている。
【０１１６】
かかる構成の基板ケース７００によれば、前記貫通孔７２０は、少なくともその一部分が前記基板側コネクタ３１１に対する前記ハーネス側コネクタ４０１の抜き差し方向の線上と異なる位置に形成しているので、基板ケース７００の外からハーネス４００を牽引した場合にも、前記基板側コネクタ３１１から前記ハーネス側コネクタ４０１が抜ける方向の力がかかりにくく、サブ制御基板３０からコネクタを引き抜く作業をさらに困難にできる。また、基板ケース７００によれば、基板ケース７００の外からハーネス４００を押し込んだ場合や貫通孔７２０とハーネス４００の間の隙間から器具を挿入した場合にも、前記基板側コネクタ３１１に前記ハーネス側コネクタ４０１を差し込む方向の力がかかりにくく、サブ制御基板３０からコネクタが強引に引き抜かれた場合に当該サブ制御基板３０に当該コネクタを差し込む作業をさらに困難にすることができる。
【０１１７】
以下、本発明に係る遊技機用基板ケースの好適なもう一つの他の実施形態を図１１を参照して説明する。尚、図１１は、基板ケース８００の要部を示す断面図である。図１１に図示しない部分は、図１乃至図９に示した実施形態と同様の構成になっている。
【０１１８】
図１１において、基板ケース８００は、サブ制御基板３０を収納して、サブ制御基板３０を収容するケース本体部材としての固定ケース８０１と、この固定ケース８０１のサブ制御基板３０収納側の開放上面を塞ぐ基板用カバーケース３０２と、この固定ケース８０１のハーネス側コネクタ４０１収納側の開放上面を塞ぐコネクタ用カバーケース８１０とを備えている。
【０１１９】
貫通孔８２０は、前記固定ケース８０１の縁部に形成された切欠き８２１と前記コネクタ用カバーケース８１０の縁部に形成された段部８２２によりハーネス４００の挿入経路が折曲して形成されている。
【０１２０】
かかる構成の基板ケース８００によれば、貫通孔８２０を折曲して形成したので、図１０の基板ケース７００と同様の効果が得られるとともに、貫通孔８２０から器具を挿入する行為をさらに困難にし、サブ制御基板３０からコネクタが強引に引き抜かれた場合に当該サブ制御基板３０に当該コネクタを差し込む作業をさらに困難にすることができる。
【０１２１】
尚、図１乃至図１１に示した実施形態では、基板用カバーケースとコネクタ用カバーケースを別体で形成したが、基板用カバーケースとコネクタ用カバーケースを一体で形成してもよい。
【０１２２】
また、図１乃至図１１に示した実施形態では、基板収容部とコネクタ収容部の間の隔壁を基板用カバーケース側に形成したが、この隔壁はコネクタ用カバーケース側に形成してもよい。
【０１２３】
また、図１乃至図１１に示した実施形態では、サブ制御基板３０用の基板ケースに適用したが、主制御基板２０用等の他の制御基板の基板ケースに適用してもよい。
【産業上の利用可能性】
【０１２４】
本発明は、スロットマシンに限らず、コネクタを介して制御基板とハーネスを接続するパチンコ機等その他の遊技機にも応用することができる。
【図面の簡単な説明】
【０１２５】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるサブ制御基板及び基板ケースの分解斜視図である。
【図５】図５は、本発明の一実施形態によるコネクタ用カバーケースを取り付ける前の基板ケースの斜視図である。
【図６】図６は、本発明の一実施形態によるコネクタ用カバーケースを取り付けた後の基板ケースの斜視図である。
【図７】図７は、本発明の一実施形態による基板ケースの平面図である。
【図８】図８は、本発明の一実施形態によるサブ制御基板を収納した基板ケースの断面図である。
【図９】図９は、本発明の一実施形態によるコネクタ用カバーケース及びその周辺部を拡大して示す断面図である
【図１０】図１０は、本発明の他の実施形態による基板ケースの要部を示す断面図である。
【図１１】図１１は、本発明のもう一つの他の実施形態による基板ケースの要部を示す断面図である。
【符号の説明】
【０１２６】
１…スロットマシン、  ２…筐体、  ３…前扉、  ４…上部パネル部、
５…下部パネル部、  ６…受皿ユニット、  ６ａ…受皿部、  ７…操作卓、
１１…開口、１２、１３…蝶番機構、２０…主制御基板、  
２１…ホッパ装置、  ２２…補助貯留部、２３…主電源装置、
２４…電源装置基板、  ２５…外部集中端子基板、３０…サブ制御基板、
３１…発光駆動部、３２ａ、３２ｂ…スピーカ、３３…中央表示基板、
３４…メダル選別装置、３５…ガイド部材、３６…ガイド部材、
３７…ガイド部材、３８ａ、３８ｂ…スピーカ、４０…枠状部、
４１…液晶表示パネル、４２…表示窓、４３…演出用照明部、
４４ａ、４４ｂ…演出用放音部、４５ａ、４５ｂ…演出用照明部、
５１…パネル、６１…メダル払出口、６２ａ、６２ｂ…演出用放音部、
７１…メダル投入部、７２、７３…ベットボタン、
７４…スタートレバー、７５ａ、７５ｂ、７５ｃ…ストップボタン、
７６…鍵穴、３００…基板ケース、１００…リールユニット、
１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、１４０…演出装置、
１３０…回胴装置基板、２０１…ＣＰＵ、２０２…乱数発生装置、
２０３…記憶部、２０４…システムプログラム、
２０５…入賞抽選テーブル、２０６…内部抽選フラグ、
２０７…図柄配列データ、２０８…リール停止位置検索テーブル、
２０９…リール停止位置選択テーブル、
２１０…リール停止コマフラグ、２１１…リール制御フラグ、
２１２…タイマ、２１３…タイマ割込生成部、
２１４…メダルクレジット手段、３００…基板ケース、
３００…基板ケース、３０１…固定ケース、
３０２…基板用カバーケース、３０３…側面、
３０４、３０５…開口部、
３０６ａ、３０６ｂ、３０６ｃ、３０６ｄ…ネジ、
３０７ａ、３０７ｂ、３０７ｃ、３０７ｄ…かしめ用キャップ、
３１０…配線パターン、３１１、３１２…基板側コネクタ、
３１３…ＲＯＭ、３１４…ＣＰＵ、
３１５ａ、３１５ｂ、３１５ｃ、３１５ｄ…挿入孔、
３１６…電極ピン、３１７…絶縁筐体、３１８…凹部、
３１９…電極ピン、３２０…絶縁筐体、３２１…凹部、
３３０…平面部、３３１、３３２、３３３、３３４…側壁、
３３５…隔壁、３３８、３３９…切欠き、
３４１ａ、３４１ｂ、３４１ｃ、３４１ｄ…突起部、
３４２ａ、３４２ｂ、３４２ｃ、３４２ｄ…ネジ孔、
３４３…リブ、３４４ａ、３４４ｂ、３４４ｃ、３４４ｄ…突起部、
３４５…リブ、３４６ａ、３４６ｂ…ネジ止め部、
３５１、３５２、３５３…凹部、
３５４、３５５、３５６、３５７、３５８、３５９…舌辺、
３６０…平面部、３６１、３６２、３６３、３６４…側壁、
３６５、３６６…切欠き、
３７１ａ、３７１ｂ、３７１ｃ、３７１ｄ…凹部、
３７２ａ、３７２ｂ、３７２ｃ、３７２ｄ…挿入孔、
３８１…小径部、３８２…大径部、３８３…スリット、
３８４…平面部、３９１…小径部、３９２…大径部、
３９３…爪部、３９４…平面部、３９５…平面部、
４０１…ハーネス側コネクタ、４０２…ジャック絶縁体、
４０３…フランジ部、４１０…ハーネス、
４１１…ハーネス側コネクタ、４１２…ジャック絶縁体、
４１３…フランジ部、４２０、４３０…貫通孔、
４２１、４２２、４３１、４３２…切欠き、
５００…コネクタ用カバーケース、
５０１、５０２、５０３…爪部、５１０…平面部、
５１１、５１２、５１３…側壁、６０１…基板収容部、
６０２…コネクタ収容部、７００…基板ケース、
７０１…固定ケース、７１０…コネクタ用カバーケース、
７１１…平面部、７２０…貫通孔、８００…基板ケース、
８０１…固定ケース、８１０…前記コネクタ用カバーケース、
８２０…貫通孔、８２１…切欠き、８２２…段部
【図１】
2006198091.tif 000003
【図２】
2006198091.tif 000004
【図３】
2006198091.tif 000005
【図４】
2006198091.tif 000006
【図５】
2006198091.tif 000007
【図６】
2006198091.tif 000008
【図７】
2006198091.tif 000009
【図８】
2006198091.tif 000010
【図９】
2006198091.tif 000011
【図１０】
2006198091.tif 000012
【図１１】
2006198091.tif 000013